(57)【要約】【課題】本考案は、平面状の大道具などの工作物を簡便かつ安定に自立させることができるとともに、簡単に移動可能としたスタンドブロックを提供することを課題とする。【解決手段】所定の幅を有し、断面が概略半円形のブロック体２からなり、ブロック体の頂点３と概略半円形の中心４とを結ぶ中心線５上であって、ブロック体の頂点３から概略半円形の半径の０．５５ないし０．８倍の長さの位置に設けられブロック体２を幅方向に貫通する貫通孔６と、ブロック体の頂点３から中心線５に沿い概略半円形の中心４に向かって伸び、先端が貫通孔６に達する断面がＶ字形の切り込み７とを有するスタンドブロック１であり、上記Ｖ字形の切り込み７には、段ボールを加工して作製された工作物の下端が挟み込まれる。【選択図】    図１
0003200726.tif 000002
【実用新案登録請求の範囲】
【請求項１】
所定の幅を有し、断面が概略半円形のブロック体からなり、該ブロック体の頂点と該概略半円形の中心とを結ぶ中心線上であって、該ブロック体の頂点から該概略半円形の半径の０．５５ないし０．８倍の長さの位置に設けられ該ブロック体を幅方向に貫通する貫通孔と、該ブロック体の頂点から該中心線に沿い該概略半円形の中心に向かって伸び、先端が該貫通孔に達する断面がＶ字形の切り込みとを有することを特徴とするスタンドブロック。
【請求項２】
上記Ｖ字形の切り込みには、段ボールを加工して作製された工作物の下端が挟み込まれることを特徴とする請求項１に記載のスタンドブロック。
【請求項３】
上記ブロック体は、ＥＶＡ発泡樹脂で構成されていることを特徴とする請求項１又は請求項２に記載のスタンドブロック。
【考案の詳細な説明】
【技術分野】
【０００１】
本考案は、段ボールで作った平面状の大道具などを、ブロック体上面の切り込みに差し込むことで、どこでも簡単にこれを自立させることができるスタンドブロックに関する。
【背景技術】
【０００２】
幼稚園や保育園などで行われる遊戯会、運動会、迷路あそびなどでは、段ボールで作った平面状の大道具が使用される。
このような平面状の大道具などの工作物は、これまで次のような方法で自立させ、必要に応じてその場所に固定していた。
（１）工作物の下端を交互に反対方向に折り返して設置し自立させる。（例えば、特許文献１参照）
（２）大掛かりな支え部分を別に作製して、工作物を裏側から支える。
（３）工作物の下端を折り返し、その折り返した部分をガムテープなどで床等に張り付ける。
【０００３】
ところが、上記（１）ないし（３）に述べたこれまでの方法では、次のような不都合があった。
（１）の場合
・工作物を安定して自立させることができない。
・工作物の下端を無理に折り返すために、平面状の大道具などの工作物を破損することがある。
（２）の場合
・平面状の大道具などの工作物とは無関係な支え部分を別に作製するため、余分な手間がかかる。
（３）の場合
・工作物を安定して自立させることができない。
・工作物の下端を無理に折り返すために、平面状の大道具などの工作物を破損することがある。
・平面状の大道具などの工作物は、ガムテープなどで床等に固定されているために、工作物を簡単に移動できない。
【先行技術文献】
【特許文献】
【０００４】
【特許文献１】特開２０１４−７０３７２号公報
【考案の概要】
【考案が解決しようとする課題】
【０００５】
本考案は、これらの不都合を解決し、平面状の大道具などの工作物を簡便かつ安定に自立させることができるとともに、簡単に移動可能としたスタンドブロックを提供することを課題とする。
【課題を解決するための手段】
【０００６】
本考案の上記課題を解決するための手段は、次のとおりである。
（１）所定の幅を有し、断面が概略半円形のブロック体からなり、該ブロック体の頂点と該概略半円形の中心とを結ぶ中心線上であって、該ブロック体の頂点から該概略半円形の半径の０．５５ないし０．８倍の長さの位置に設けられ該ブロック体を幅方向に貫通する貫通孔と、該ブロック体の頂点から該中心線に沿い該概略半円形の中心に向かって伸び、先端が該貫通孔に達する断面がＶ字形の切り込みとを有することを特徴とするスタンドブロック。
（２）上記Ｖ字形の切り込みには、段ボールを加工して作製された工作物の下端が挟み込まれていることを特徴とする上記（１）に記載のスタンドブロック。
（３）上記ブロック体は、ＥＶＡ（エチレン酢酸ビニール）発泡樹脂で構成されていることを特徴とする上記（１）又は（２）に記載のスタンドブロック。
【考案の効果】
【０００７】
本考案に係るスタンドブロックによれば、次のような効果が得られる。
（１）幼稚園や保育園などで行われる遊戯会や運動会などで使用する段ボールなどで作った立木や草の茂みなどのような平面状の大道具や、部屋の中を仕切る簡易的なパーテーションなどを手軽に設置することができる。
（２）大道具を自立させるために裏側に大掛かりな支え部分を作製する手間が省け、また、使用する時だけスタンドブロックに差し込めばいいので、平常は大道具を平面状で保管することができ、余計な場所を取らなくてすむ。
（３）工作物を差し込む切り込みをＶ字形にしたため、工作物を差し込み易く、かつ抜けにくい。特に、ブロック体をＥＶＡ発泡樹脂で構成する場合には、Ｖ字形の切り込みの先端で工作物がＥＶＡ発泡樹脂に食い込むため、さらに抜けにくくなる。
（４）ブロック体を軽くて柔らかいＥＶＡ発泡樹脂で構成したため、移動の際の負担は軽く、移動の際に不意にスタンドブロックが外れ落下したとしても怪我をする心配はない。さらに、屋外で使用した際に泥や砂埃等で汚れたとしても、水洗いすることができ衛生的である。
【図面の簡単な説明】
【０００８】
【図１】本考案に係るスタンドブロックの一実施形態の斜視図である。
【図２】本考案に係るスタンドブロックの使用時の写真である。
【考案を実施するための形態】
【０００９】
（スタンドブロックの実施形態）
図１は、本考案に係るスタンドブロックの一実施形態の斜視図である。
図１に示すスタンドブロック１は、所定の幅を有し、断面が概略半円形のブロック体２からなり、ブロック体の頂点３と概略半円形の中心４とを結ぶ中心線５上にブロック体２を幅方向に貫通する貫通孔６が形成されている。
なお、本明細書では、中心線５とブロック体２の底辺との交点を、概略半円形の中心４とした。
【００１０】
さらに、スタンドブロック１には、ブロック体の頂点３から中心線５に沿い概略半円形の中心４に向かって伸び、先端が貫通孔に達するＶ字形の切り込み７が設けられている。
Ｖ字形の切り込み７を差し込み口にしたことにより、平面状の大道具などの工作物の下端が差し込み易く、かつ抜けにくくなっている。
【００１１】
自立させる段ボールで作製した工作物は、段ボールの筋目を縦にして使用するのが好ましい。筋目が横の場合には、工作物の大きさや装飾の重さによっては、工作物が折れ曲がってしまうことがあるので注意が必要である。
【００１２】
貫通孔６は、ブロック体の頂点３と概略半円形の中心４とを結ぶ中心線５上で、ブロック体の頂点３から概略半円形の半径の０．５５ないし０．８倍の長さの位置に設けるのがよい。
概略半円形の半径の０．５５倍未満では、工作物の挟み込みが浅いため、スタンドブロックから簡単に抜けてしまうか、スタンドブロックが工作物とともに転倒してしまうおそれがある。
また、０．８倍を超えるとＶ字形の切り込みからブロック体２が裂けてしまうおそれがある。
【００１３】
ブロック体２は、ＥＶＡ（エチレン酢酸ビニール）発泡樹脂で構成するのが好ましい。
ブロック体をＥＶＡ発泡樹脂で構成する場合には、Ｖ字形の切り込みの先端で工作物がＥＶＡ発泡樹脂に食い込むため、さらに抜けにくくなる。
また、軽くて柔らかいＥＶＡ発泡樹脂で構成することにより、スタンドブロックが軽量化され、移動の際に不意にスタンドブロックが外れて落下したとしても怪我をする心配はない。さらに、屋外で使用した際に、泥や砂埃等で汚れたとしても水洗いすることができるため、衛生的である。
【００１４】
（スタンドブロックの設計）
スタンドブロックを構成するブロック体について、ブロック体の高さ及び幅は、必要とする工作物を挟み込んで自立させたときに、これが転倒しない範囲で相互に選定する必要がある。
【００１５】
次に、本考案では工作物に加工する段ボールの厚みが３ｍｍないし５ｍｍ程度であることから、貫通孔の直径は５ｍｍないし６ｍｍ程度が好ましい。同様に、Ｖ字形の切り込みの幅は、ブロック体の頂点付近では、８ｍｍないし１０ｍｍ程度が、またＶ字形の先端付近では１ｍｍ程度であるのが好ましい。
【００１６】
（スタンドブロックの使用例）
図２は、本考案に係るスタンドブロックの使用時の一例を示す写真である。
図２から、段ボールで作製した扉付平面状の大道具が、両側に設置した２個のスタンドブロックによって自立していることが分かる。
本考案では、樹木等の小道具は１個のスタンドブロックによって自立させ、また簡単に移動させることができる。
【００１７】
以上、本考案に係るスタンドブロックについて好適な実施形態を例示して説明したが、この実施形態は本考案の技術的範囲を限定するものではなく、実用新案登録請求の範囲に記載された本考案の要旨を逸脱しない範囲内で各種の変更や修正を加えることができることは言うまでもないことである。
【符号の説明】
【００１８】
１  スタンドブロック
２  ブロック体
３  ブロック体の頂点
４  概略半円形の中心
５  中心線
６  貫通孔
７  Ｖ字形の切り込み
【図１】
0003200726.tif 000003
【図２】
0003200726.tif 000004